(57)【要約】  Ｄ２Ｄ（ユーザ装置間）通信をサポートするユーザ装置は、当該ユーザ装置が基地局のカバレッジ内に存在する場合、Ｄ２Ｄ同期信号の送信に関するパラメータに従って、Ｄ２Ｄ同期信号を送信する送信期間を決定する制御部と、決定されたＤ２Ｄ同期信号の送信期間内に、Ｄ２Ｄ同期信号を送信する送信部とを有する。
2016072222.tif 000002
【特許請求の範囲】
【請求項１】
Ｄ２Ｄ（ユーザ装置間）通信をサポートするユーザ装置であって、
当該ユーザ装置が基地局のカバレッジ内に存在する場合、
Ｄ２Ｄ同期信号の送信に関するパラメータに従って、Ｄ２Ｄ同期信号を送信する送信期間を決定する制御部と、
決定されたＤ２Ｄ同期信号の送信期間内に、Ｄ２Ｄ同期信号を送信する送信部と、
を有するユーザ装置。
【請求項２】
前記制御部は、カバレッジ外のユーザ装置からのＤ２Ｄ同期信号の検出に関するパラメータに従って、カバレッジ外のユーザ装置から送信されたＤ２Ｄ同期信号を検出する検出期間を決定し、
当該ユーザ装置は、決定された検出期間内に、カバレッジ外のユーザ装置から送信されたＤ２Ｄ同期信号を検出する検出部を更に有する、請求項１に記載のユーザ装置。
【請求項３】
前記制御部は、周期的に、又は基地局からの指示により、前記検出部におけるカバレッジ外のユーザ装置からのＤ２Ｄ同期信号の検出を開始し、前記送信部におけるＤ２Ｄ同期信号の送信を開始する、請求項２に記載のユーザ装置。
【請求項４】
前記制御部は、前記検出部においてカバレッジ外のユーザ装置からのＤ２Ｄ同期信号が検出されない場合、又は基地局からの指示により、前記検出部におけるカバレッジ外のユーザ装置からのＤ２Ｄ同期信号の検出を停止し、前記送信部におけるＤ２Ｄ同期信号の送信を停止する、請求項２又は３に記載のユーザ装置。
【請求項５】
カバレッジ外のユーザ装置から送信されたＤ２Ｄ同期信号による干渉を測定する干渉測定部を更に有し、
前記送信部は、前記干渉測定部における干渉測定結果を基地局に送信する、請求項２乃至４のうちいずれか１項に記載のユーザ装置。
【請求項６】
基地局から、Ｄ２Ｄ同期信号の送信に関するパラメータ又はカバレッジ外のユーザ装置からのＤ２Ｄ同期信号の検出に関するパラメータを受信する受信部を更に有する、請求項１乃至５のうちいずれか１項に記載のユーザ装置。
【請求項７】
前記Ｄ２Ｄ同期信号の送信に関するパラメータは、Ｄ２Ｄ同期信号の最大検出期間内においてＤ２Ｄ同期信号を送信する送信期間を設定するための情報を含み、
前記Ｄ２Ｄ同期信号の検出に関するパラメータは、Ｄ２Ｄ同期信号の最大検出期間内においてＤ２Ｄ同期信号を検出する検出期間を設定するための情報を含む、請求項２乃至６のうちいずれか１項に記載のユーザ装置。
【請求項８】
Ｄ２Ｄ（ユーザ装置間）通信をサポートするユーザ装置におけるＤ２Ｄ同期信号送信方法であって、
当該ユーザ装置が基地局のカバレッジ内に存在する場合、
Ｄ２Ｄ同期信号の送信に関するパラメータに従って、Ｄ２Ｄ同期信号を送信する送信期間を決定するステップと、
決定されたＤ２Ｄ同期信号の送信期間内に、Ｄ２Ｄ同期信号を送信するステップと、
を有するＤ２Ｄ同期信号送信方法。
【発明の詳細な説明】
【技術分野】
【０００１】
本発明は、Ｄ２Ｄ（ユーザ装置間）通信をサポートするユーザ装置及びＤ２Ｄ同期信号送信方法に関する。
【背景技術】
【０００２】
現状のＬＴＥ（Ｌｏｎｇ  Ｔｅｒｍ  Ｅｖｏｌｕｔｉｏｎ）等の移動体通信システムでは、ユーザ装置ＵＥと基地局ｅＮＢが通信を行うことにより基地局ｅＮＢ等を介してユーザ装置ＵＥ間で通信を行うことが一般的であるが、近年、ユーザ装置ＵＥ間で直接に通信を行うＤ２Ｄ通信についての種々の技術が提案されている。
【０００３】
特に、ＬＴＥにおけるＤ２Ｄ通信では、ユーザ装置ＵＥ間でプッシュ通話等のデータ通信を行う「Ｃｏｍｍｕｎｉｃａｔｉｏｎ（コミュニケーション）」と、ユーザ装置ＵＥが、自身のＩＤやアプリケーションＩＤ等を含む発見信号（ｄｉｓｃｏｖｅｒｙ  ｓｉｇｎａｌ）を送信することで、受信側のユーザ装置ＵＥに送信側のユーザ装置ＵＥの検出を行わせる「Ｄｉｓｃｏｖｅｒｙ（発見）」が提案されている（非特許文献１参照）。なお、Ｃｏｍｍｕｎｉｃａｔｉｏｎは、例えば、Ｐｕｂｌｉｃ  ｓａｆｅｔｙ（警察・消防無線など）への適用が想定されている。
【０００４】
Ｄ２Ｄ通信を実現するために、ユーザ装置ＵＥ間で同期を保持する必要があり、Ｄ２Ｄ通信の同期のための信号として、Ｄ２Ｄ同期信号（以下、"Ｄ２ＤＳＳ"と呼ぶ）が規定されている。基地局ｅＮＢのカバレッジ内に存在するユーザ装置（カバレッジ内のユーザ装置）ＵＥは、所定の条件を満たす場合、基地局ｅＮＢからの指示によってＤ２ＤＳＳを送信する。一方、基地局ｅＮＢのカバレッジ外に存在するユーザ装置（カバレッジ外のユーザ装置）ＵＥは、Ｄ２ＤＳＳの受信信号強度を測定し、Ｄ２ＤＳＳの受信信号強度が閾値未満である場合、Ｄ２ＤＳＳを送信する。
【先行技術文献】
【非特許文献】
【０００５】
【非特許文献１】３ＧＰＰ  ＴＲ  ３６．８４３  Ｖ１２．０．１  （２０１４−０３）
【発明の概要】
【発明が解決しようとする課題】
【０００６】
上記のように、カバレッジ外のユーザ装置ＵＥは、自分の判断によってＤ２ＤＳＳを送信するため、カバレッジ内のユーザ装置ＵＥとの間で送受信タイミングが異なる可能性がある。仮にカバレッジ外のユーザ装置ＵＥがカバレッジ内のユーザ装置ＵＥとＤ２Ｄ通信を行っていなくても、カバレッジ外のユーザ装置ＵＥが送信したＤ２ＤＳＳがカバレッジ内のユーザ装置ＵＥにとって干渉になる可能性がある。
【０００７】
図１Ａ及び図１Ｂは、Ｄ２Ｄ通信において干渉が発生する例を示す図である。図１Ａは、カバレッジ内のユーザ装置ＵＥ１と、基地局ｅＮＢが通信しており、また、カバレッジ外のユーザ装置ＵＥ２がＤ２Ｄ信号を送信する様子を示している。図１Ｂは、基地局ｅＮＢの送受信タイミング、すなわち、カバレッジ内のユーザ装置ＵＥ１の送受信タイミングと、カバレッジ外のユーザ装置ＵＥ２の送受信タイミングとを示している。
【０００８】
カバレッジ内のユーザ装置ＵＥ１は、基地局ｅＮＢと同期しており、基地局ｅＮＢとの間で所定のリソース（以降、"ＷＡＮリソース"と呼ぶ）で通信する。また、カバレッジ内のユーザ装置ＵＥ１は、カバレッジ外のユーザ装置ＵＥ２又はカバレッジ内の別のユーザ装置（図示せず）との間で別のリソース（以降、"Ｄ２Ｄリソース"と呼ぶ）でＤ２Ｄ通信する。Ｄ２Ｄリソースは、ユーザ装置ＵＥから基地局ｅＮＢへの信号送信用のリソースとして既に規定されている上りリンクリソースの一部を利用することが検討されている。ＷＡＮリソースと、Ｄ２Ｄリソースとは、周波数領域又は時間領域で多重される。
【０００９】
図１Ｂに示すように、カバレッジ内のユーザ装置ＵＥ１の送受信タイミングと、カバレッジ外のユーザ装置ＵＥ２の送受信タイミングが一致していない場合、カバレッジ外のユーザ装置ＵＥ２からのＤ２Ｄ信号は、カバレッジ内のユーザ装置ＵＥ１のＤ２Ｄリソースで送信されるトラヒック（以降、"Ｄ２Ｄトラヒック"と呼ぶ）に干渉を与えるだけでなく、ＷＡＮリソースで送信されるトラヒック（以降、"ＷＡＮトラヒック"と呼ぶ）にも干渉を与える可能性がある。
【００１０】
特に、基地局ｅＮＢとユーザ装置ＵＥ１との間でＴＤＤ（時分割複信）が用いられている場合、カバレッジ外のユーザ装置ＵＥ２からのＤ２Ｄ信号は、上りリンク（ＴＤＤ  ＵＬ）のＷＡＮトラヒックだけでなく、下りリンク（ＴＤＤ  ＤＬ）のＷＡＮトラヒックにも干渉を与える。下りリンクのＷＡＮトラヒックにおける干渉は基地局ｅＮＢが直接的に検出することができないため、基地局ｅＮＢによる制御によって干渉を低減することはできない。
【００１１】
従って、カバレッジ外のユーザ装置ＵＥ２からのＤ２Ｄ信号による干渉を低減するために、基地局ｅＮＢの送受信タイミング、すなわち、カバレッジ内のユーザ装置ＵＥ１の送受信タイミングと、カバレッジ外のユーザ装置ＵＥ２の送受信タイミングとを一致させる必要がある。
【００１２】
ユーザ装置ＵＥ１、ＵＥ２の間でタイミングを一致させるために、カバレッジ内のユーザ装置ＵＥ１は、Ｄ２ＤＳＳを送信することができるが、カバレッジ内のユーザ装置ＵＥ１がＤ２ＤＳＳを常に送信し続けることは、消費電力の観点から望ましくない。なお、Ｄ２ＤＳＳとともにＤ２Ｄ用報知チャネル（以降"ＰＤ２ＤＳＣＨ"と呼ぶ）を送信し、ＴＤＤ  ＵＬ／ＤＬサブフレーム構成を通知することで前述したＴＤＤ下りサブフレームへの与干渉を回避することができるが、同様に消費電力の観点からカバレッジ内のユーザ装置ＵＥ１が常に送信し続けることは望ましくない。
【００１３】
本発明は、カバレッジ外のユーザ装置ＵＥ２からのＤ２Ｄ信号の干渉を低減するために、カバレッジ内のユーザ装置ＵＥ１がＤ２ＤＳＳを効率的に送信するための手法を提案することを目的とする。
【課題を解決するための手段】
【００１４】
本発明の一形態に係るユーザ装置は、
Ｄ２Ｄ（ユーザ装置間）通信をサポートするユーザ装置であって、
当該ユーザ装置が基地局のカバレッジ内に存在する場合、
Ｄ２Ｄ同期信号の送信に関するパラメータに従って、Ｄ２Ｄ同期信号を送信する送信期間を決定する制御部と、
決定されたＤ２Ｄ同期信号の送信期間内に、Ｄ２Ｄ同期信号を送信する送信部と、
を有することを特徴とする。
【００１５】
また、本発明の一形態に係るＤ２Ｄ同期信号送信方法は、
Ｄ２Ｄ（ユーザ装置間）通信をサポートするユーザ装置におけるＤ２Ｄ同期信号送信方法であって、
当該ユーザ装置が基地局のカバレッジ内に存在する場合、
Ｄ２Ｄ同期信号の送信に関するパラメータに従って、Ｄ２Ｄ同期信号を送信する送信期間を決定するステップと、
決定されたＤ２Ｄ同期信号の送信期間内に、Ｄ２Ｄ同期信号を送信するステップと、
を有することを特徴とする。
【発明の効果】
【００１６】
本発明によれば、カバレッジ内のユーザ装置によるＤ２ＤＳＳの効率的な送信を実現することが可能になる。
【図面の簡単な説明】
【００１７】
【図１Ａ】Ｄ２Ｄ通信において干渉が発生する例を示す図
【図１Ｂ】カバレッジ内ＵＥとカバレッジ外ＵＥとのタイミング差によってＤ２Ｄ通信において干渉が発生する例を示す図
【図２】本発明の実施例に係る通信システムの概略図
【図３】本発明の実施例に係る通信システムにおけるＤ２ＤＳＳの送信及び検出の動作を示すタイミング図（その１）
【図４】本発明の実施例に係る通信システムにおけるＤ２ＤＳＳの送信及び検出の動作を示すタイミング図（その２）
【図５】本発明の実施例に係るＤ２ＤＳＳの送信及び検出の動作を示すシーケンス図（その１）
【図６】本発明の実施例に係るＤ２ＤＳＳの送信及び検出の動作を示すシーケンス図（その２）
【図７】本発明の実施例に係るユーザ装置の構成図
【図８】本発明の実施例に係るユーザ装置におけるベースバンド信号処理部の構成図
【図９】本発明の実施例に係るユーザ装置（カバレッジ内のユーザ装置）の動作を示すフローチャート
【図１０】本発明の実施例に係るユーザ装置（カバレッジ外のユーザ装置）の動作を示すフローチャート
【発明を実施するための形態】
【００１８】
以下、本発明の実施例について図面を参照して説明する。
【００１９】
＜通信システムにおける動作の概要＞
図２は、本発明の実施例に係る通信システムの概略図である。本発明の実施例に係る通信システムは、基地局ｅＮＢのカバレッジ内にユーザ装置ＵＥＡ、ＵＥＢ、ＵＥＣが存在するセルラ通信システムである。カバレッジ内のユーザ装置ＵＥＡ、ＵＥＢ、ＵＥＣはそれぞれＤ２Ｄ通信機能を有しており、カバレッジ内のユーザ装置ＵＥＡ、ＵＥＢ、ＵＥＣ間でＤ２Ｄ通信を行うことが可能である。また、カバレッジ内のユーザ装置ＵＥＡ、ＵＥＢ、ＵＥＣはカバレッジ外のユーザ装置ＯＯＣ−ＵＥ１とＤ２Ｄ通信を行うことも可能である。更に、カバレッジ内のユーザ装置ＵＥＡ、ＵＥＢ、ＵＥＣはそれぞれ基地局ｅＮＢとの間で通常のセルラ通信を行うことが可能である。ユーザ装置ＵＥＡ、ＵＥＢ、ＵＥＣと基地局ｅＮＢとの間の通信にはＴＤＤが用いられてもよい。
【００２０】
図２では、ユーザ装置ＵＥＡがカバレッジ外のユーザ装置ＯＯＣ−ＵＥ１の近くに存在する例を示している。以下、ユーザ装置ＵＥＡを例に挙げて説明するが、ユーザ装置ＵＥＢ、ＵＥＣの近くにも他のカバレッジ外のユーザ装置が存在する可能性があるため、ユーザ装置ＵＥＡに関する説明は、ユーザ装置ＵＥＢ、ＵＥＣにも同様に適用可能である。
【００２１】
カバレッジ外のユーザ装置ＯＯＣ−ＵＥ１は、Ｄ２Ｄ通信のための同期信号として、Ｄ２ＤＳＳを送信する。例えば、カバレッジ外のユーザ装置ＯＯＣ−ＵＥ１は、Ｄ２ＤＳＳの受信信号強度を測定し、Ｄ２ＤＳＳの受信信号強度が閾値未満である場合、Ｄ２ＤＳＳを送信する。このようにカバレッジ外のユーザ装置ＯＯＣ−ＵＥ１から送信されたＤ２ＤＳＳは、カバレッジ内のユーザ装置ＵＥＡのＷＡＮトラヒックに干渉を与える可能性がある。
【００２２】
このため、カバレッジ内のユーザ装置ＵＥＡは、カバレッジ外のユーザ装置ＯＯＣ−ＵＥ１との同期を保持するために、Ｄ２ＤＳＳをカバレッジ外のユーザ装置ＯＯＣ−ＵＥ１に送信する。本発明の実施例では、消費電力を低減する観点から、カバレッジ内のユーザ装置ＵＥＡは、Ｄ２ＤＳＳを一定の周期（Ｄ２ＤＳＳ周期）で常に送信するのではなく、Ｄ２ＤＳＳの送信に関するパラメータに従って間欠的に送信する。
【００２３】
カバレッジ外のユーザ装置ＯＯＣ−ＵＥ１がカバレッジ内からのＤ２ＤＳＳを受信し、自らもＤ２ＤＳＳを送信する場合、送信するＤ２ＤＳＳの同期タイミングは最後に受信したカバレッジ内のユーザ装置ＵＥＡからのＤ２ＤＳＳに従ってもよい。ユーザ装置ＯＯＣ−ＵＥ１は一定時間同期タイミングを保持することができるため、カバレッジ内のユーザ装置ＵＥＡからのＤ２ＤＳＳが受信できなくなってからも一定時間はカバレッジ内のＷＡＮトラフィックへの干渉を低減することができる。ユーザ装置ＯＯＣ−ＵＥ１において同期タイミング保持時間を定め、同期ずれが生じ得る時間が経過した後は、独立したタイミングまたはカバレッジ外の他ユーザ装置から送信された同期タイミングに従ってもよい。また、同期タイミングに加えてＰＤ２ＤＳＣＨの通知内容（例えばＴＤＤ  ＵＬ／ＤＬサブフレーム構成）も保持してもよい。
【００２４】
更に、本発明の実施例では、消費電力を低減する観点から、カバレッジ内のユーザ装置ＵＥＡは、カバレッジ外のユーザ装置ＯＯＣ−ＵＥ１から送信されたＤ２ＤＳＳを常に検出するのではなく、Ｄ２ＤＳＳの検出に関するパラメータに従って間欠的に検出する。
【００２５】
以下、カバレッジ内のユーザ装置ＵＥＡが送信するＤ２ＤＳＳと、カバレッジ外のユーザ装置ＯＯＣ−ＵＥ１が送信するＤ２ＤＳＳとを、Ｄ２ＤＳＳの系列で区別する。カバレッジ内のユーザ装置ＵＥＡは基地局ｅＮＢと同期しており、基地局ｅＮＢ配下のセルにおいて決められたタイミングでＤ２ＤＳＳを送信する。このようにカバレッジ内のユーザ装置ＵＥＡが送信するＤ２ＤＳＳには、Ｄ２ＤＳＳｕｅ＿ｎｅｔと呼ばれる系列が用いられる。一方、カバレッジ外のユーザ装置ＯＯＣ−ＵＥ１は基地局ｅＮＢと同期しているとは限らず、自分の判断によってＤ２ＤＳＳを送信する。このようにカバレッジ外のユーザ装置ＯＯＣ−ＵＥ１が送信するＤ２ＤＳＳには、Ｄ２ＤＳＳｕｅ＿ｏｏｎと呼ばれる系列が用いられる。
【００２６】
Ｄ２ＤＳＳの送信に関するパラメータ及びＤ２ＤＳＳの検出に関するパラメータとして、Ｄ２ＤＳＳの最大検出期間（Ｔｄ＿ｍａｘ）内において、Ｄ２ＤＳＳ＿ｏｏｎを検出する検出期間（Ｓｃａｎｎｉｎｇ  Ｄｕｒａｔｉｏｎ）と、Ｄ２ＤＳＳｕｅ＿ｎｅｔを送信するＤ２ＤＳＳ送信期間（Ｐｕｒｅ  Ｔｒａｎｓｍｉｓｓｉｏｎ  Ｄｕｒａｔｉｏｎ）とが規定されてもよい。検出期間は、カバレッジ内のユーザ装置ＵＥＡがＤ２ＤＳＳｕｅ＿ｏｏｎを一定の周期で検出する期間である。検出期間のパラメータは、Ｔｄ＿ｍａｘ内における検出の開始時間及び終了時間によって決められてもよく、Ｔｄ＿ｍａｘ内において設定された検出期間の数によって決められてもよい。実際の検出期間の数は、ユーザ装置ＵＥＡの移動機能力（例えば、電力レベル）に応じてユーザ装置ＵＥＡにより判断されてもよい。例えば、検出期間のパラメータは、Ｔｄ＿ｍａｘ内において最低Ｎ回の検出期間を設定すべきという内容でもよい。また、Ｄ２ＤＳＳ送信期間は、カバレッジ内のユーザ装置ＵＥＡがＤ２ＤＳＳｕｅ＿ｎｅｔを一定の周期で送信する期間である。Ｄ２ＤＳＳ送信期間のパラメータは、Ｔｄ＿ｍａｘ内における送信の開始時間及び終了時間によって決められてもよく、Ｔｄ＿ｍａｘ内において最低実施すべき送信期間の数によって決められてもよい。実際の送信期間の数は、ユーザ装置ＵＥＡの移動機能力（例えば、電力レベル）に応じてユーザ装置ＵＥＡにより判断されてもよい。例えば、Ｄ２ＤＳＳ送信期間のパラメータは、Ｔｄ＿ｍａｘ内において最低Ｎ回の送信期間を設定すべきという内容でもよい。なお、ユーザ装置ＵＥＡのＤ２ＤＳＳｕｅ＿ｏｏｎを検出する際の消費電力を考慮して、検出期間は、Ｄ２ＤＳＳ送信期間より短くてもよい。
【００２７】
Ｄ２ＤＳＳを送信する周期（Ｄ２ＤＳＳ周期）が予め決まっている場合には、Ｔｄ＿ｍａｘは、Ｄ２ＤＳＳ周期との関係によって所定数のビットで表現されてもよい。例えば、'００'の場合には、Ｔｄ＿ｍａｘは２つのＤ２ＤＳＳ周期を示すものとしてもよく、'０１'の場合には、Ｔｄ＿ｍａｘは４つのＤ２ＤＳＳ周期を示すものとしてもよい。この４つのＤ２ＤＳＳ周期のうち、例えば２つが検出期間として予め定められてもよい。また、'１０'の場合には、Ｔｄ＿ｍａｘは１２個のＤ２ＤＳＳ周期を示すものとしてもよい。この１２個のＤ２ＤＳＳのうち、例えば２つ又は４つが検出期間として予め定められてもよい。更に、'１１'の場合には、Ｔｄ＿ｍａｘは２４個のＤ２ＤＳＳ周期を示すものとしてもよい。この２４個のＤ２ＤＳＳのうち、例えば２つ又は４つが検出期間として予め定められてもよい。
【００２８】
このようなパラメータ（Ｔｄ＿ｍａｘ、検出期間、Ｄ２ＤＳＳ送信期間）は、基地局ｅＮＢからＳＩＢ（Ｓｙｓｔｅｍ  Ｉｎｆｏｒｍａｔｉｏｎ  Ｂｌｏｃｋ）として報知されてもよく、基地局ｅＮＢから個別のユーザ装置ＵＥＡへのシグナリングとして通知されてもよく、ユーザ装置ＵＥＡ内に予め設定されてもよい。
【００２９】
カバレッジ内のユーザ装置ＵＥＡは、Ｄ２ＤＳＳｕｅ＿ｏｏｎの検出及びＤ２ＤＳＳｕｅ＿ｎｅｔの送信を基地局ｅＮＢの指示により開始してもよく、自律的に（周期的に）開始してもよい。検出及び送信の開始が基地局ｅＮＢの指示により行われるか、自律的に行われるかは、基地局ｅＮＢからのシグナリングにより設定されてもよい。
【００３０】
また、カバレッジ内のユーザ装置ＵＥＡは、Ｔｄ＿ｍａｘ内においてＤ２ＤＳＳｕｅ＿ｏｏｎを検出する期間であっても、例えば、カバレッジ外のユーザ装置ＯＯＣ−ＵＥ１からのＤ２ＤＳＳｕｅ＿ｏｏｎが検出されなくなった場合には、Ｄ２ＤＳＳｕｅ＿ｏｏｎの検出を停止してもよい。同様に、カバレッジ内のユーザ装置ＵＥＡは、Ｔｄ＿ｍａｘ内においてＤ２ＤＳＳｕｅ＿ｎｅｔを送信する期間であっても、例えば、カバレッジ外のユーザ装置ＯＯＣ−ＵＥ１からのＤ２ＤＳＳｕｅ＿ｏｏｎが検出されなくなった場合には、Ｄ２ＤＳＳｕｅ＿ｎｅｔの送信を停止してもよい。このような検出及び送信の停止は、基地局ｅＮＢからの指示により行われてもよく、自律的に（ユーザ装置ＵＥＡがＤ２ＤＳＳｕｅ＿ｏｏｎを検出しない場合）行われてもよい。検出及び送信の停止が基地局ｅＮＢの指示により行われるか、自律的に行われるかは、基地局ｅＮＢからのシグナリングにより設定されてもよい。
【００３１】
更に、カバレッジ内のユーザ装置ＵＥＡは、検出期間中にＤ２ＤＳＳｕｅ＿ｎｅｔの送信を行ってもよく（検出＋送信）、検出期間中にＤ２ＤＳＳｕｅ＿ｎｅｔの送信を行わなくてもよい（検出のみ）。検出期間中にＤ２ＤＳＳｕｅ＿ｎｅｔの送信を行うか否かは、基地局ｅＮＢからのシグナリングにより設定されてもよい。
【００３２】
これらのパラメータ、並びに、Ｄ２ＤＳＳｕｅ＿ｏｏｎの検出及びＤ２ＤＳＳｕｅ＿ｎｅｔの送信に関する動作の設定は、ユーザ装置毎に異なってもよい。例えば、ユーザ装置ＵＥＡは、基地局ｅＮＢからの指示により送信及び検出を開始し、自律的に送信及び検出を停止するものとする。また、ユーザ装置ＵＥＡは、検出期間中にＤ２ＤＳＳｕｅ＿ｎｅｔの送信を行い（送信＋検出）、Ｔｄ＿ｍａｘ内における検出期間の数は、２とする。例えば、ユーザ装置ＵＥＢは、基地局ｅＮＢからの指示により送信及び検出を開始し、基地局ｅＮＢからの指示により送信及び検出を停止するものとする。また、ユーザ装置ＵＥＢは、検出期間中にＤ２ＤＳＳｕｅ＿ｎｅｔの送信を行い（送信＋検出）、Ｔｄ＿ｍａｘ内における検出期間の数は、１とする。例えば、ユーザ装置ＵＥＣは、基地局ｅＮＢからの指示により送信及び検出を開始し、自律的に送信及び検出を停止するものとする。また、ユーザ装置ＵＥＣは、検出期間中にＤ２ＤＳＳｕｅ＿ｎｅｔの送信を行わず（検出のみ）、Ｔｄ＿ｍａｘ内における検出期間の数は、２とする。このように設定されたユーザ装置ＵＥＡ、ＵＥＢ、ＵＥＣの動作について図３及び４を参照して説明する。
【００３３】
図３及び図４は、本発明の実施例に係る通信システムにおけるＤ２ＤＳＳの送信及び検出の動作を示すタイミング図である。図３は、カバレッジ内のユーザ装置ＵＥＡとカバレッジ外のユーザ装置ＯＯＣ−ＵＥ１との動作を示しており、図４は、カバレッジ内のユーザ装置ＵＥＢ、ＵＥＣの動作を示している。
【００３４】
図３に示すように、カバレッジ外のユーザ装置ＯＯＣ−ＵＥ１は、Ｄ２ＤＳＳの受信信号強度を測定し、Ｄ２ＤＳＳの受信信号強度が閾値未満である場合、Ｄ２ＤＳＳｕｅ＿ｏｏｎを送信する（Ｓ１１）。
【００３５】
カバレッジ内のユーザ装置ＵＥＡは、基地局ｅＮＢからの指示により、Ｄ２ＤＳＳｕｅ＿ｎｅｔの送信及びＤ２ＤＳＳｕｅ＿ｏｏｎの検出を開始する（Ｓ１２）。Ｄ２ＤＳＳｕｅ＿ｎｅｔの送信及びＤ２ＤＳＳｕｅ＿ｏｏｎの検出は、検出期間の間、一定の周期で繰り返されてもよい。
【００３６】
カバレッジ外のユーザ装置ＯＯＣ−ＵＥ１がＤ２ＤＳＳｕｅ＿ｎｅｔを検出すると（Ｓ１３）、Ｄ２ＤＳＳｕｅ＿ｎｅｔのタイミングに従って、すなわち、基地局ｅＮＢの送受信タイミングに従って、Ｄ２ＤＳＳｕｅ＿ｏｏｎを送信する（Ｓ１４）。
【００３７】
カバレッジ内のユーザ装置ＵＥＡは、検出期間中にカバレッジ外のユーザ装置ＯＯＣ−ＵＥ１から送信されたＤ２ＤＳＳｕｅ＿ｏｏｎを検出する（Ｓ１５）。カバレッジ内のユーザ装置ＵＥＡは、検出されたＤ２ＤＳＳｕｅ＿ｏｏｎによる干渉を測定し、干渉測定結果を基地局ｅＮＢに送信してもよい。
【００３８】
また、カバレッジ内のユーザ装置ＵＥＡは、Ｄ２ＤＳＳ送信期間中にＤ２ＤＳＳｕｅ＿ｎｅｔを送信する（Ｓ１６）。Ｄ２ＤＳＳｕｅ＿ｎｅｔの送信は、Ｄ２ＤＳＳ送信期間の間、一定の周期で繰り返されてもよい。
【００３９】
ユーザ装置ＵＥＡについて、Ｔｄ＿ｍａｘ内における検出回数は最低２回であるため、カバレッジ内のユーザ装置ＵＥＡは、Ｄ２ＤＳＳｕｅ＿ｎｅｔの送信及びＤ２ＤＳＳｕｅ＿ｏｏｎの検出を再び実施する。このときに、カバレッジ外のユーザ装置ＯＯＣ−ＵＥ１からのＤ２ＤＳＳｕｅ＿ｏｏｎが検出されない場合、カバレッジ内のユーザ装置ＵＥＡは、自律的にＤ２ＤＳＳｕｅ＿ｏｏｎの検出及びＤ２ＤＳＳｕｅ＿ｎｅｔの送信を停止する（Ｓ１７）。
【００４０】
図４に示すように、カバレッジ内のユーザ装置ＵＥＢは、同様に、基地局ｅＮＢからの指示により、Ｄ２ＤＳＳｕｅ＿ｎｅｔの送信及びＤ２ＤＳＳｕｅ＿ｏｏｎの検出を開始する。カバレッジ内のユーザ装置ＵＥＢは、Ｔｄ＿ｍａｘ内において設定された１回の検出期間において、Ｄ２ＤＳＳｕｅ＿ｏｏｎを検出し、Ｔｄ＿ｍａｘ内において設定された１回の送信期間において、Ｄ２ＤＳＳｕｅ＿ｎｅｔを送信する。カバレッジ内のユーザ装置ＵＥＢは、基地局ｅＮＢからの指示があるまで、ＤＳＳｕｅ＿ｏｏｎの検出及びＤ２ＤＳＳｕｅ＿ｎｅｔの送信を繰り返す。
【００４１】
カバレッジ内のユーザ装置ＵＥＣは、検出期間においてＤ２ＤＳＳｕｅ＿ｎｅｔの送信を行わない点を除き、ユーザ装置ＵＥＡと同様にＤＳＳｕｅ＿ｏｏｎの検出及びＤ２ＤＳＳｕｅ＿ｎｅｔの送信を行う。
【００４２】
なお、カバレッジ内のユーザ装置ＵＥＢ及びＵＥＣは、カバレッジ外のユーザ装置ＯＯＣ＿ＵＥ１から離れているが、カバレッジ外のユーザ装置ＯＯＣ＿ＵＥ１からのＤ２Ｄ信号を受信することができた場合、カバレッジ外のユーザ装置ＯＯＣ＿ＵＥ１のＤ２Ｄ信号の送信期間等を基地局ｅＮＢに報告してもよい。例えば、ユーザ装置ＯＯＣ＿ＵＥ１が長期間にわたってＤ２Ｄ信号を送信する可能性がある場合、カバレッジ外のユーザ装置ＯＯＣ＿ＵＥ１からの干渉を低減するために、基地局ｅＮＢは、Ｔｄ＿ｍａｘを長く設定することも考えられる。
【００４３】
次に、カバレッジ内のユーザ装置ＵＥＡの動作について詳細に説明する。
【００４４】
図５は、本発明の実施例に係るにおけるＤ２ＤＳＳの送信及び検出の動作を示すシーケンス図である。
【００４５】
まず、カバレッジ外のユーザ装置ＯＯＣ−ＵＥ１は、Ｄ２ＤＳＳを検出し（Ｓ１０１）、Ｄ２ＤＳＳの受信信号強度が閾値未満である場合、Ｄ２ＤＳＳｕｅ＿ｏｏｎを送信する（Ｓ１０３）。
【００４６】
カバレッジ内のユーザ装置ＵＥＡは、カバレッジ外のユーザ装置ＯＯＣ−ＵＥ１から送信されたＤ２ＤＳＳｕｅ＿ｏｏｎを受信する。また、カバレッジ内のユーザ装置ＵＥＡは、基地局ｅＮＢから下りリンクのデータ（ＷＡＮトラヒック）が送信された場合、ＷＡＮトラヒックを受信する（Ｓ１０５）。カバレッジ内のユーザ装置ＵＥＡは、Ｄ２ＤＳＳｕｅ＿ｏｏｎがＷＡＮトラヒックに与える干渉を測定し（Ｓ１０７）、干渉測定結果を基地局ｅＮＢに報告してもよい（Ｓ１０９）。
【００４７】
基地局ｅＮＢは、Ｄ２ＤＳＳｕｅ＿ｎｅｔの送信及びＤ２ＤＳＳｕｅ＿ｏｏｎの検出を指示し（Ｓ１１１）、カバレッジ内のユーザ装置ＵＥＡは、基地局ｅＮＢの指示に従ってＴｄ＿ｍａｘ内の検出期間において、Ｄ２ＤＳＳｕｅ＿ｎｅｔを送信する（Ｓ１１３）。更に、Ｔｄ＿ｍａｘ内の検出期間において、Ｄ２ＤＳＳｕｅ＿ｏｏｎを検出する（Ｓ１１５）。Ｄ２ＤＳＳｕｅ＿ｏｏｎが検出された場合、カバレッジ内のユーザ装置ＵＥＡは、Ｄ２ＤＳＳｕｅ＿ｏｏｎがＷＡＮトラヒックに与える干渉を測定し、干渉測定結果を基地局ｅＮＢに報告してもよい（図示せず）。
【００４８】
その後、カバレッジ内のユーザ装置ＵＥＡは、Ｔｄ＿ｍａｘ内のＤ２ＤＳＳ送信期間において、Ｄ２ＤＳＳｕｅ＿ｎｅｔを送信する（Ｓ１１７）。カバレッジ外のユーザ装置ＯＯＣ−ＵＥ１は、Ｄ２ＤＳＳｕｅ＿ｎｅｔを検出すると、カバレッジ内のユーザ装置ＵＥＡと同期する（Ｓ１１９）。なお、図５では、カバレッジ外のユーザ装置ＯＯＣ−ＵＥ１はステップＳ１１７の後でカバレッジ内のユーザ装置ＵＥＡと同期しているが、ステップＳ１１３において送信されたＤ２ＤＳＳｕｅ＿ｎｅｔを検出できた場合、Ｄ２ＤＳＳ送信期間の前の検出期間にカバレッジ内のユーザ装置ＵＥＡと同期することができる。
【００４９】
カバレッジ外のユーザ装置ＯＯＣ−ＵＥ１が受信したＤ２ＤＳＳｕｅ＿ｎｅｔの受信信号強度が閾値以上である場合、カバレッジ外のユーザ装置ＯＯＣ−ＵＥ１はＤ２ＤＳＳｕｅ＿ｏｏｎの送信を停止する。その結果、カバレッジ内のユーザ装置ＵＥＡがカバレッジ外のユーザ装置ＯＯＣ−ＵＥ１からのＤ２ＤＳＳｕｅ＿ｏｏｎを検出しなくなった場合、Ｔｄ＿ｍａｘ内であっても、カバレッジ内のユーザ装置ＵＥＡは、Ｄ２ＤＳＳｕｅ＿ｏｏｎの検出及びＤ２ＤＳＳｕｅ＿ｏｏｎの送信を停止してもよい。
【００５０】
次に、カバレッジ内のユーザ装置ＵＥＣの動作について詳細に説明する。
【００５１】
図６は、本発明の実施例に係るにおけるＤ２ＤＳＳの送信及び検出の動作を示すシーケンス図である。図６は、図５のステップＳ１１３が存在しない点を除き、図５と同じである。
【００５２】
ステップＳ１０１〜ステップＳ１０９は、図５と同様の手順により実施される。
【００５３】
基地局ｅＮＢは、Ｄ２ＤＳＳｕｅ＿ｎｅｔの送信及びＤ２ＤＳＳｕｅ＿ｏｏｎの検出を指示し（Ｓ１１１）、カバレッジ内のユーザ装置ＵＥＣは、基地局ｅＮＢの指示に従ってＴｄ＿ｍａｘ内の検出期間において、Ｄ２ＤＳＳｕｅ＿ｏｏｎを検出する（Ｓ１１５）。この検出期間では、カバレッジ内のユーザ装置ＵＥＣは、Ｄ２ＤＳＳｕｅ＿ｎｅｔを送信しない。Ｄ２ＤＳＳｕｅ＿ｏｏｎが検出された場合、カバレッジ内のユーザ装置ＵＥＣは、Ｄ２ＤＳＳｕｅ＿ｏｏｎがＷＡＮトラヒックに与える干渉を測定し、干渉測定結果を基地局ｅＮＢに報告してもよい（図示せず）。
【００５４】
その後、カバレッジ内のユーザ装置ＵＥＣは、Ｔｄ＿ｍａｘ内のＤ２ＤＳＳ送信期間において、Ｄ２ＤＳＳｕｅ＿ｎｅｔを送信する（Ｓ１１７）。カバレッジ外のユーザ装置ＯＯＣ−ＵＥ１は、Ｄ２ＤＳＳｕｅ＿ｎｅｔを検出すると、カバレッジ内のユーザ装置ＵＥＣと同期する（Ｓ１１９）。図６の手順では、検出期間においてＤ２ＤＳＳｕｅ＿ｎｅｔが送信されないため、カバレッジ外のユーザ装置ＯＯＣ−ＵＥ１がユーザ装置ＵＥＣと同期するタイミングが図５の手順に比べて遅れる可能性がある。
【００５５】
＜カバレッジ内のユーザ装置の構成＞
図７は、本発明の実施例に係るユーザ装置１０の構成図である。ユーザ装置１０は、基地局ｅＮＢのカバレッジ内に存在するユーザ装置であり、Ｄ２Ｄ通信機能を有する。ユーザ装置１０は、アプリケーション部１０１と、ベースバンド信号処理部１０３と、送信／受信部１０５と、アンプ部１０７とを有する。ユーザ装置１０は、ＣＰＵ（Ｃｅｎｔｒａｌ  Ｐｒｏｃｅｓｓｉｎｇ  Ｕｎｉｔ）等のプロセッサ、ＲＡＭ（Ｒａｎｄｏｍ  Ａｃｃｅｓｓ  Ｍｅｍｏｒｙ）やＲＯＭ（Ｒｅａｄ  Ｏｎｌｙ  Ｍｅｍｏｒｙ）等のメモリ装置、ハードディスク等の記憶装置等から構成された情報通信端末でもよい。例えば、ユーザ装置１０のアプリケーション部１０１、ベースバンド信号処理部１０３等は、プロセッサと記憶装置又はメモリ装置とによって構成され、記憶装置又はメモリ装置に記憶されているデータやプログラムをプロセッサが実行することによって実現されてもよい。
【００５６】
下りリンクのデータについては、送受信アンテナで受信された無線周波数信号がアンプ部１０７で増幅され、送信／受信部１０５で周波数変換されてベースバンド信号に変換される。このベースバンド信号は、ベースバンド信号処理部１０３でＦＦＴ処理や、誤り訂正復号、再送制御の受信処理等がなされる。この下りリンクのデータのうち、下りリンクのデータは、アプリケーション部１０１に転送される。アプリケーション部１０１は、物理レイヤやＭＡＣレイヤより上位のレイヤに関する処理等を行う。
【００５７】
一方、上りリンクのデータは、アプリケーション部１０１からベースバンド信号処理部１０３に入力される。ベースバンド信号処理部１０３においては、再送制御の送信処理や、チャネル符号化、ＤＦＴ処理、ＩＦＦＴ処理を行う。送信／受信部１０５は、ベースバンド信号処理部１０３から出力されたベースバンド信号を無線周波数帯に変換する。その後、アンプ部１０７で増幅されて送受信アンテナより送信される。
【００５８】
本発明の実施例では、ベースバンド信号処理部１０３においてＤ２ＤＳＳｕｅ＿ｎｅｔを送信する送信期間の決定、Ｄ２ＤＳＳｕｅ＿ｏｏｎを検出する検出期間の決定、Ｄ２ＤＳＳｕｅ＿ｎｅｔの生成、Ｄ２ＤＳＳｕｅ＿ｏｏｎの検出、Ｄ２ＤＳＳｕｅ＿ｏｏｎによる干渉の測定等が行われる。以下、ベースバンド信号処理部１０３の構成を詳細に説明する。
【００５９】
図８は、本発明の実施例に係るユーザ装置１０におけるベースバンド信号処理部１０３の構成図である。ベースバンド信号処理部１０３は、制御部１０３０と、信号生成部１０３１と、Ｄ２ＤＳＳ生成部１０３２と、マッピング部１０３３と、Ｄ２Ｄ受信処理のための復調部１０３４と、シンボル判定部１０３５と、Ｄ２ＤＳＳ検出部１０３６と、干渉測定部１０３７と、セルラ受信処理のための復調部１０３８と、シンボル判定部１０３９とを有する。図８に示すベースバンド信号処理部１０３では、Ｄ２Ｄ受信処理のための機能部とセルラ受信処理のための機能部とを分けているが、これらの機能部の少なくとも一部は、Ｄ２Ｄ受信処理とセルラ受信処理とで共用されてもよい。
【００６０】
制御部１０３０は、ベースバンド信号処理部１０３の全体の管理を行う。上りリンクにより基地局ｅＮＢに送信する信号については、アプリケーション部１０１から入力されたデータを信号生成部１０３１に入力する。また、制御部１０３０は、Ｔｄ＿ｍａｘ、検出期間、Ｄ２ＤＳＳ送信期間等のパラメータに従って、Ｄ２ＤＳＳｕｅ＿ｎｅｔを送信する送信期間、Ｄ２ＤＳＳｕｅ＿ｏｏｎを検出する検出期間を決定する。これらのパラメータは、基地局ｅＮＢからのＳＩＢ又は個別のユーザ装置へのシグナリングにより送信されてユーザ装置１０内のメモリ等に格納されていてもよく、ユーザ装置１０内のメモリ等に予め格納されていてもよい。また、制御部１０３０は、自律的に又は基地局ｅＮＢからの指示により、Ｄ２ＤＳＳｕｅ＿ｎｅｔの送信及びＤ２ＤＳＳｕｅ＿ｏｏｎの検出を開始又は停止する。更に、制御部１０３０は、基地局ｅＮＢからのシグナリングにより、検出期間中にＤ２ＤＳＳｕｅ＿ｎｅｔの送信を行うか否かを設定してもよい。
【００６１】
信号生成部１０３１は、基地局ｅＮＢ又は他のユーザ装置に送信する信号を生成する。基地局ｅＮＢに送信する信号には、データ及び制御情報が含まれる。基地局ｅＮＢに送信する信号は、ＷＡＮリソースで送信される。他のユーザ装置に送信する信号には、ＳＡ（Ｓｃｈｅｄｕｌｉｎｇ  Ａｓｓｉｇｎｍｅｎｔ）、発見信号及びＤ２Ｄデータ等が含まれる。他のユーザ装置に送信する信号は、Ｄ２Ｄリソースで送信される。
【００６２】
Ｄ２ＤＳＳ生成部１０３２は、他のユーザ装置に送信するＤ２ＤＳＳｕｅ＿ｎｅｔを生成する。Ｄ２ＤＳＳｕｅ＿ｎｅｔは、制御部１０３０において決定されたＤ２ＤＳＳ送信期間内にＤ２Ｄリソースで送信される。
【００６３】
マッピング部１０３３は、信号生成部１０３１及びＤ２ＤＳＳ生成部１０３２で生成された信号をＷＡＮリソース及びＤ２Ｄリソースに配置する。マッピング部１０３３においてリソースに配置された信号は、送信／受信部１０５、アンプ部１０７及び送受信アンテナを介して基地局ｅＮＢ又は他のユーザ装置に送信される。
【００６４】
復調部１０３４は、Ｄ２Ｄリソースにおいて他のユーザ装置から送信されたＤ２Ｄ信号を復調する。
【００６５】
シンボル判定部１０３５は、復調したＤ２Ｄ信号におけるシンボルのビット列を取得し、制御部１０３０に入力する。
【００６６】
Ｄ２ＤＳＳ検出部１０３６は、Ｄ２ＤＳＳを検出する。特に、Ｄ２ＤＳＳ検出部１０３６は、制御部１０３０において決定された検出期間内にＤ２ＤＳＳｕｅ＿ｏｏｎを検出する。
【００６７】
干渉測定部１０３７は、Ｄ２ＤＳＳ検出部１０３６においてＤ２ＤＳＳｕｅ＿ｏｏｎが検出された場合、検出されたＤ２ＤＳＳｕｅ＿ｏｏｎによる干渉を測定する。干渉測定部１０３７における干渉測定結果は、制御部１０３０に入力され、信号生成部１０３１において基地局ｅＮＢに送信する信号として生成される。
【００６８】
復調部１０３８は、ＷＡＮリソースにおいて基地局ｅＮＢから送信されたセルラ信号を復調する。
【００６９】
シンボル判定部１０３９は、復調したセルラ信号におけるシンボルのビット列を取得し、制御部１０３０に入力する。シンボル判定部１０３９から制御部１０３０に入力されるセルラ信号には、基地局ｅＮＢからのシグナリングも含まれる。例えば、基地局ｅＮＢがＴｄ＿ｍａｘ、検出期間、Ｄ２ＤＳＳ送信期間等のパラメータを設定する場合、基地局ｅＮＢがＤ２ＤＳＳｕｅ＿ｎｅｔの送信及びＤ２ＤＳＳｕｅ＿ｏｏｎの検出の開始又は停止を指示する場合、或いは、基地局ｅＮＢのシグナリングによって検出期間中にＤ２ＤＳＳｕｅ＿ｎｅｔの送信を行うか否かを設定する場合、シンボル判定部１０３９から制御部１０３０に入力されるセルラ信号にはこのようなパラメータ或いはシグナリングが含まれる。
【００７０】
＜カバレッジ内のユーザ装置の動作＞
図９は、本発明の実施例に係るユーザ装置１０の動作を示すフローチャートである。
【００７１】
ユーザ装置１０は、復調部１０３４及びシンボル判定部１０３５において、カバレッジ外のユーザ装置から送信されたＤ２ＤＳＳｕｅ＿ｏｏｎを受信する。また、ユーザ装置１０は、復調部１０３８及びシンボル判定部１０３９において、基地局ｅＮＢから送信されたセルラ信号を受信する。ユーザ装置１０は、干渉測定部１０３７において、Ｄ２ＤＳＳｕｅ＿ｏｏｎがセルラ信号に与える干渉を測定し、制御部１０３０に入力する（Ｓ２０１）。干渉が検出された場合（Ｓ２０１：ＹＥＳ）、干渉結果を基地局ｅＮＢに送信するために、信号生成部１０３１において、測定結果を含む信号を生成する（Ｓ２０３）。なお、ステップＳ２０１及びＳ２０３はユーザ装置１０において実施されなくてもよい。
【００７２】
次に、ユーザ装置１０は、復調部１０３８及びシンボル判定部１０３９において、Ｔｄ＿ｍａｘ、検出期間、Ｄ２ＤＳＳ送信期間等のパラメータを受信してもよい（Ｓ２０５）。また、ユーザ装置１０は、復調部１０３８及びシンボル判定部１０３９において、Ｄ２ＤＳＳｕｅ＿ｏｏｎの検出及びＤ２ＤＳＳｕｅ＿ｎｅｔの送信の開始又は停止を自律的に行うか、基地局からの指示により行うかを受信してもよい。
【００７３】
Ｄ２ＤＳＳｕｅ＿ｏｏｎの検出及びＤ２ＤＳＳｕｅ＿ｎｅｔの送信の開始を基地局からの指示により行う場合（Ｓ２０７）、基地局ｅＮＢからの指示により、ユーザ装置１０の制御部１０３０は、検出期間内に、Ｄ２ＤＳＳ検出部１０３６におけるＤ２ＤＳＳｕｅ＿ｏｏｎの検出を開始する（Ｓ２０９）。Ｄ２ＤＳＳ検出部１０３６においてＤ２ＤＳＳｕｅ＿ｏｏｎが検出された場合（Ｓ２１１：ＹＥＳ）、ユーザ装置１０は、Ｄ２ＤＳＳｕｅ＿ｎｅｔを送信するために、Ｄ２ＤＳＳ生成部１０３２においてＤ２ＤＳＳｕｅ＿ｎｅｔを生成し、マッピング部１０３３においてＤ２ＤＳＳｕｅ＿ｎｅｔをＤ２Ｄリソースに配置する（Ｓ２１３）。また、ユーザ装置１０は、干渉測定部１０３７において、Ｄ２ＤＳＳｕｅ＿ｏｏｎがセルラ信号に与える干渉を測定し、測定結果を基地局ｅＮＢに報告してもよい。そして、ステップＳ２０９に戻り、Ｄ２ＤＳＳｕｅ＿ｏｏｎの検出が続けられる。
【００７４】
一方、Ｄ２ＤＳＳ検出部１０３６においてＤ２ＤＳＳｕｅ＿ｏｏｎが検出されない場合（Ｓ２１１：ＮＯ）、ユーザ装置１０の制御部１０３０は、Ｄ２ＤＳＳｕｅ＿ｏｏｎの検出及びＤ２ＤＳＳｕｅ＿ｎｅｔの送信の停止を基地局からの指示により行うか、自律的に行うかを判断する。Ｄ２ＤＳＳｕｅ＿ｏｏｎの検出及びＤ２ＤＳＳｕｅ＿ｎｅｔの送信の停止を基地局ｅＮＢからの指示により行う場合（Ｓ２１５）、ユーザ装置１０は、基地局ｅＮＢからの指示を受信するまで、Ｄ２ＤＳＳｕｅ＿ｎｅｔを送信するために、Ｄ２ＤＳＳ生成部１０３２においてＤ２ＤＳＳｕｅ＿ｎｅｔを生成し、マッピング部１０３３においてＤ２ＤＳＳｕｅ＿ｎｅｔをＤ２Ｄリソースに配置する（Ｓ２１７）。ユーザ装置１０が基地局ｅＮＢからの指示を受信した場合、制御部１０３０は、Ｄ２ＤＳＳｕｅ＿ｏｏｎの検出及びＤ２ＤＳＳｕｅ＿ｎｅｔの送信を停止する（Ｓ２１９：ＹＥＳ）。Ｄ２ＤＳＳｕｅ＿ｏｏｎの検出及びＤ２ＤＳＳｕｅ＿ｎｅｔの送信の停止の指示がなく、検出期間においてＤ２ＤＳＳｕｅ＿ｏｏｎの検出を続ける場合には（Ｓ２１９：ＮＯ）、ステップＳ２０９に戻る。
【００７５】
一方、Ｄ２ＤＳＳｕｅ＿ｏｏｎの検出及びＤ２ＤＳＳｕｅ＿ｎｅｔの送信の停止を自律的に行う場合（Ｓ２１５）、Ｄ２ＤＳＳ検出部１０３６においてＤ２ＤＳＳｕｅ＿ｏｏｎが検出されなくなったときに、制御部１０３０は、Ｄ２ＤＳＳｕｅ＿ｏｏｎの検出及びＤ２ＤＳＳｕｅ＿ｎｅｔの送信を停止する（Ｓ２２１）。
【００７６】
また、Ｄ２ＤＳＳｕｅ＿ｏｏｎの検出及びＤ２ＤＳＳｕｅ＿ｎｅｔの送信の開始を自律的に行う場合（Ｓ２０７）、ユーザ装置１０は、周期的に、Ｄ２ＤＳＳ検出部１０３６においてＤ２ＤＳＳｕｅ＿ｏｏｎの検出を開始する（Ｓ２２３）。この場合、Ｄ２ＤＳＳｕｅ＿ｏｏｎの検出及びＤ２ＤＳＳｕｅ＿ｎｅｔの送信の停止も自律的に行うものと仮定する。Ｄ２ＤＳＳ検出部１０３６においてＤ２ＤＳＳｕｅ＿ｏｏｎが検出された場合（Ｓ２２５：ＹＥＳ）、ユーザ装置１０は、Ｄ２ＤＳＳｕｅ＿ｎｅｔを送信するために、Ｄ２ＤＳＳ生成部１０３２においてＤ２ＤＳＳｕｅ＿ｎｅｔを生成し、マッピング部１０３３においてＤ２ＤＳＳｕｅ＿ｎｅｔをＤ２Ｄリソースに配置する（Ｓ２２７）。この場合も同様に、ユーザ装置１０は、干渉測定部１０３７において、Ｄ２ＤＳＳｕｅ＿ｏｏｎがセルラ信号に与える干渉を測定し、測定結果を基地局ｅＮＢに報告してもよい。
【００７７】
一方、Ｄ２ＤＳＳ検出部１０３６においてＤ２ＤＳＳｕｅ＿ｏｏｎが検出されない場合（Ｓ２２５）、制御部１０３０は、Ｄ２ＤＳＳｕｅ＿ｏｏｎの検出及びＤ２ＤＳＳｕｅ＿ｎｅｔの送信を停止する（Ｓ２２９）。Ｄ２ＤＳＳｕｅ＿ｏｏｎの検出及びＤ２ＤＳＳｕｅ＿ｎｅｔの送信を停止せず、検出期間においてＤ２ＤＳＳｕｅ＿ｏｏｎの検出を続ける場合には（Ｓ２３１：ＹＥＳ）、ステップＳ２２３に戻る。
【００７８】
＜カバレッジ外のユーザ装置の動作＞
図１０は、カバレッジ外のユーザ装置の動作を示すフローチャートである。
【００７９】
カバレッジ外のユーザ装置は、Ｄ２ＤＳＳの検出を試みる（Ｓ３０１）。Ｄ２ＤＳＳが検出され（Ｓ３０３：ＹＥＳ）、検出されたＤ２ＤＳＳの系列がＤ２ＤＳＳｕｅ＿ｎｅｔである場合（Ｓ３０５：ＹＥＳ）、カバレッジ外のユーザ装置は、Ｄ２ＤＳＳｕｅ＿ｎｅｔに従ってカバレッジ内のユーザ装置と同期する（Ｓ３０７）。そして、Ｄ２ＤＳＳの検出を続け、Ｄ２ＤＳＳの受信信号強度を測定し、Ｄ２ＤＳＳの受信信号強度が閾値未満である場合、Ｄ２ＤＳＳｕｅ＿ｏｏｎを送信する（Ｓ３０９）。一方、検出されたＤ２ＤＳＳがＤ２ＤＳＳｕｅ＿ｏｏｎである場合（Ｓ３０５：ＮＯ）、Ｄ２ＤＳＳｕｅ＿ｏｏｎを送信したカバレッジ外のユーザ装置と同期するか否かを判断する（Ｓ３１１）。
【００８０】
Ｄ２ＤＳＳｕｅ＿ｏｏｎを送信したカバレッジ外のユーザ装置と同期する必要がない場合（Ｓ３１１：ＮＯ）、カバレッジ外のユーザ装置は、Ｄ２ＤＳＳの検出を続け、Ｄ２ＤＳＳの受信信号強度を測定し、Ｄ２ＤＳＳの受信信号強度が閾値未満である場合、Ｄ２ＤＳＳｕｅ＿ｏｏｎを送信する（Ｓ３０９）。一方、Ｄ２ＤＳＳｕｅ＿ｏｏｎを送信したカバレッジ外のユーザ装置と同期する場合（Ｓ３１１：ＹＥＳ）、Ｄ２ＤＳＳｕｅ＿ｏｏｎに従って同期を行う。そして、カバレッジ外のユーザ装置は、Ｄ２ＤＳＳの検出を続け、Ｄ２ＤＳＳの受信信号強度を測定し、Ｄ２ＤＳＳの受信信号強度が閾値未満である場合、Ｄ２ＤＳＳｕｅ＿ｏｏｎを送信する（Ｓ３１３）。
【００８１】
また、Ｄ２ＤＳＳが検出されない場合（Ｓ３０３：ＮＯ）、これはＤ２ＤＳＳの受信信号強度が閾値未満である場合に相当するため、カバレッジ外のユーザ装置は、Ｄ２ＤＳＳｕｅ＿ｏｏｎを送信する（Ｓ３１３）。
【００８２】
＜本発明の実施例の効果＞
本発明の実施例によれば、カバレッジ内のユーザ装置によるＤ２ＤＳＳの効率的な送信が実現されると共に、カバレッジ外のユーザ装置からのＤ２Ｄ信号の干渉を低減することが可能になる。
【００８３】
また、カバレッジ内のユーザ装置がＤ２ＤＳＳｕｅ＿ｎｅｔを一定の周期（Ｄ２ＤＳＳ周期）で常に送信するのではなく、Ｄ２ＤＳＳの送信に関するパラメータに従って間欠的に送信することにより、消費電力を低減することが可能になる。同様に、カバレッジ内のユーザ装置Ｕがカバレッジ外のユーザ装置から送信されたＤ２ＤＳＳｕｅ＿ｏｏｎを常に検出するのではなく、Ｄ２ＤＳＳの検出に関するパラメータに従って間欠的に検出することにより、消費電力を低減しつつＤ２Ｄ通信による干渉の有無を検出することが可能になる。
【００８４】
基地局のシグナリングにより、パラメータの設定、検出及び送信の動作に関する設定を行う場合には、基地局はユーザ装置の密度等を考慮して、例えば、ユーザ装置が多く存在する場所には検出期間を短く設定することが可能になる。また、例えば、日中と夜間でパラメータの設定、検出及び送信の動作に関する設定を変更することも可能になる。
【００８５】
ユーザ装置がＤ２ＤＳＳｕｅ＿ｏｏｎの検出及びＤ２ＤＳＳｕｅ＿ｎｅｔの送信の開始又は停止を自律的に行う場合には、ユーザ装置は、移動速度や電力レベル等を考慮して柔軟に検出及び送信を開始又は停止することが可能になる。
【００８６】
自律的な検出及び送信の開始は、アイドル状態（ＲＲＣ＿ＩＤＬＥ）のユーザ装置に適用することができる。一方、基地局からの指示による検出及び送信の開始は、基地局との接続状態（ＲＲＣ＿Ｃｏｎｎｅｃｔｅｄ）のユーザ装置に適用されてもよい。また、自律的な検出及び送信の停止は、電力消費を抑える必要性の高いユーザ装置に適用することができる。一方、基地局からの指示による検出及び送信の停止は、電力消費を抑える必要性の低いユーザ装置に適用されてもよい。
【００８７】
更に、ユーザ装置がＤ２ＤＳＳｕｅ＿ｎｅｔによる干渉を測定して干渉測定結果を基地局に報告することにより、基地局において、干渉測定結果を考慮したパラメータの設定、検出及び送信の動作に関する設定を行うことが可能になる。例えば、干渉が大きいユーザ装置に対しては、Ｔｄ＿ｍａｘを長く設定し、干渉が小さいユーザ装置に対しては、Ｔｄ＿ｍａｘを短く設定することも可能になる。
【００８８】
また、Ｔｄ＿ｍａｘ内に検出期間及びＤ２ＤＳＳ送信期間を設けることにより、ユーザ装置は、移動機能力（例えば、電力レベル）に応じて実際の検出期間及びＤ２ＤＳＳ送信期間を判断することが可能になる。
【００８９】
説明の便宜上、本発明の実施例に係るユーザ装置は機能的なブロック図を用いて説明しているが、本発明の実施例に係るユーザ装置は、ハードウェア、ソフトウェアまたはそれらの組み合わせで実現されてもよい。また、各機能部が必要に応じて組み合わせて使用されてもよい。また、本発明の実施例に係る方法は、実施例に示す順序と異なる順序で実施されてもよい。
【００９０】
以上、カバレッジ内のユーザ装置によるＤ２ＤＳＳの効率的な送信を実現するための手法について説明したが、本発明は、上記の実施例に限定されることなく、請求の範囲内において、種々の変更・応用が可能である。
【００９１】
本国際出願は２０１４年１１月７日に出願した日本国特許出願２０１４−２２７５５４号に基づく優先権を主張するものであり、２０１４−２２７５５４号の全内容を本国際出願に援用する。
【符号の説明】
【００９２】
１０      ユーザ装置
１０１    アプリケーション部
１０３    ベースバンド信号処理部
１０５    送信／受信部
１０７    アンプ部
１０３０  制御部
１０３１  信号生成部
１０３２  Ｄ２ＤＳＳ生成部
１０３３  マッピング部
１０３４  復調部
１０３５  シンボル判定部
１０３６  Ｄ２ＤＳＳ検出部
１０３７  干渉測定部
１０３８  復調部
１０３９  シンボル判定部
【図１Ａ】
2016072222.tif 000003
【図１Ｂ】
2016072222.tif 000004
【図２】
2016072222.tif 000005
【図３】
2016072222.tif 000006
【図４】
2016072222.tif 000007
【図５】
2016072222.tif 000008
【図６】
2016072222.tif 000009
【図７】
2016072222.tif 000010
【図８】
2016072222.tif 000011
【図９】
2016072222.tif 000012
【図１０】
2016072222.tif 000013
【国際調査報告】
2016072222.tif 000014
2016072222.tif 000015
2016072222.tif 000016
2016072222.tif 000017